【手続補正書】
【提出日】平成17年4月15日(2005.4.15)
【手続補正１】
【補正対象書類名】特許請求の範囲
【補正対象項目名】全文
【補正方法】変更
【補正の内容】
【特許請求の範囲】
【請求項１】
エアロゾル化装置であって、以下の：
粉末医薬製剤を入れるために適したチャンバー；
上記チャンバーを少なくとも部分的に覆う蓋；
上記蓋を強制的に通って上記粉末医薬製剤へのアクセスを提供するための少なくとも１の貫通要素；および
上記チャンバーから伸長している成形可能な表面であって、導管を形成するための変形に適した前記成形可能な表面、
を含み、それによって上記粉末医薬製剤が上記導管を通じて吸入する使用者によって上記チャンバーから抽出される、前記装置。
【請求項２】
上記成形可能な表面が、そこへ加えられた力に応じて変形するように適合された、請求項1に記載のエアロゾル化装置。
【請求項３】
上記成形可能な表面が、上記使用者によってそこへ加えられた力に応じて変形することに適した、請求項１に記載のエアロゾル化装置。
【請求項４】
上記成形可能な表面が、上記表面が上記導管を形成するのを促進するための手段を含む、請求項１に記載のエアロゾル化装置。
【請求項５】
上記促進手段が１以上の穿孔処理を含む、請求項４に記載のエアロゾル化装置。
【請求項６】
上記表面が、上記変形を行う前に実質的に平面である、請求項１に記載のエアロゾル化装置。
【請求項７】
上記チャンバーが、上記成形可能な表面に統合された部分である、請求項１に記載のエアロゾル化装置。
【請求項８】
上記チャンバーが、上記成形可能な表面中に形成されたくぼみである、請求項１に記載のエアロゾル化装置。
【請求項９】
上記チャンバーが、上記成形可能な表面上に取り外し可能に位置付けられることのできる表面中に形成される、請求項１に記載のエアロゾル化装置。
【請求項１０】
上記貫通要素が、上記成形可能な表面に統合された部分である、請求項１に記載のエアロゾル化装置。
【請求項１１】
上記貫通要素および上記成形可能な表面が一体である、請求項１に記載のエアロゾル化装置。
【請求項１２】
上記貫通要素の少なくとも１の部分が、上記成形可能な表面の穿孔部分によって上記成形可能な表面に接続されている、請求項１に記載のエアロゾル化装置。
【請求項１３】
上記貫通要素が、上記成形可能な表面から形成される先の尖ったタブを含む、請求項１に記載のエアロゾル化装置。
【請求項１４】
上記貫通要素が、上記チャンバーに隣接して配置され、かつ、上記先の尖ったタブが上記蓋を貫通することを許容するように曲がることができる、請求項１３に記載のエアロゾル化装置。
【請求項１５】
上記成形可能な表面が長軸を有し、ここで、上記長軸の対向する側にある上記成形可能な表面の２の縁が導管を形成するようにお互いの方向に曲がることができる、請求項１に記載のエアロゾル化装置。
【請求項１６】
上記蓋が箔を含む、請求項１に記載のエアロゾル化装置。
【請求項１７】
上記蓋、上記貫通要素及び上記成形可能な表面が、上記蓋の貫通及び上記導管の形成の前に共通の平面上にある、請求項１に記載のエアロゾル化装置。
【請求項１８】
エアロゾル化装置であって、以下の：
粉末医薬製剤を入れるために適したチャンバー；
上記チャンバーを少なくとも部分的に覆う蓋；及び
上記チャンバーに接続された少なくとも１の貫通要素であって、上記蓋を強制的に通って上記粉末医薬製剤へのアクセスを提供するための、前記貫通要素
を含み、それによって上記粉末医薬製剤が上記導管を通じて吸入する使用者によって上記チャンバーから抽出される、前記装置。
【請求項１９】
上記チャンバーが、表面内に形成されたくぼみを含む、請求項１８に記載のエアロゾル化装置。
【請求項２０】
上記貫通要素が上記表面とともに統合されて形成される、請求項１９に記載のエアロゾル化装置。
【請求項２１】
上記貫通要素が上記表面と一体に成形される、請求項１９に記載のエアロゾル化装置。
【請求項２２】
上記貫通要素の少なくとも１の部分が、上記表面の穿孔部分によって上記表面に接続されている、請求項１９に記載のエアロゾル化装置。
【請求項２３】
上記貫通要素が、上記表面から成形された先の尖ったタブを含む、請求項１９に記載のエアロゾル化装置。
【請求項２４】
上記貫通要素が、上記チャンバーに隣接して配置され、且つ、上記先の尖ったタブが上記蓋を貫通することを許容するように曲がることができる、請求項２３に記載のエアロゾル化装置。
【請求項２５】
上記表面が長軸を有し、且つ、上記長軸の対向する側にある上記表面の2の縁が、上記蓋を貫通するように、お互いの方向に曲がることができる、請求項１９に記載のエアロゾル化装置。
【請求項２６】
上記蓋が箔を含む、請求項１８に記載のエアロゾル化装置。
【請求項２７】
上記蓋及び上記貫通要素が、上記蓋の貫通の前に共通の平面内にある、請求項１８に記載のエアロゾル化装置。
【請求項２８】
上記チャンバーから伸長する導管をさらに含む、請求項１８に記載のエアロゾル化装置。
【請求項２９】
蓋つきのチャンバー内に入った粉末医薬製剤をエアロゾル化するためのエアロゾル化装置であって、以下の：
導管を形成するための変形に適した成形可能な表面；及び
上記成形可能な表面に接続された少なくとも１の貫通要素であって、上記蓋を強制的に通って上記粉末医薬製剤へのアクセスを提供することができるように位置付けられた上記貫通要素、
を含み、これによって、上記粉末医薬製剤が上記導管を通じて吸入する使用者によってチャンバーから抽出される、前記装置。
【請求項３０】
上記成形可能な表面が、上記使用者によってそこへ与えられた力に応じて変形を行うことに適した、請求項２９に記載のエアロゾル化装置。
【請求項３１】
上記成形可能な表面が上記導管を形成するように上記表面を促進するための手段を含む、請求項２９に記載のエアロゾル化装置。
【請求項３２】
上記促進手段が１以上の穿孔処理を含む、請求項３１に記載のエアロゾル化装置。
【請求項３３】
上記チャンバーが、上記成形可能な表面上に取り外し可能に位置付けられることのできる、請求項２９に記載のエアロゾル化装置。
【請求項３４】
上記貫通要素及び上記成形可能な表面が一体である、請求項２９に記載のエアロゾル化装置。
【請求項３５】
上記貫通要素が、上記成形可能な表面から形成される先の尖ったタブを含む、請求項２９に記載のエアロゾル化装置。
【請求項３６】
上記貫通要素及び上記成形可能な表面が、上記蓋の貫通及び上記導管の形成の前に、共通の平面内にある、請求項２９に記載のエアロゾル化装置。
【請求項３７】
医薬製剤をエアロゾル化するための方法であって、以下のステップ：
穴を開けることのできる蓋で少なくとも部分的に覆われた、粉末医薬製剤を入れたチャンバーを提供すること；
導管の形態に成形可能な表面を提供すること；及び
上記蓋が穴をあけられた後、上記導管を通じて吸入する使用者に応じて上記粉末医薬製剤をエアロゾル化すること、
を含む、前記方法。
【請求項３８】
上記表面が、上記使用者によって与えられた力に応じて導管の形態に成形可能である、請求項３７に記載の方法。
【請求項３９】
医薬製剤をエアロゾル化するための方法であって、以下のステップ：
成形可能な表面を導管の形態に成形すること；
粉末医薬製剤を入れたチャンバーの蓋に穴をあけること；及び
上記医薬製剤をエアロゾル化するために、上記導管を通じて吸入すること、
を含む、前記方法。
【請求項４０】
上記成形ステップが、上記成形可能な表面を曲げることを含む、請求項３９に記載の方法。
【請求項４１】
上記成形ステップが、上記表面内の少なくとも１の穿孔の周りの上記成形可能な表面を曲げることを含む、請求項３９に記載の方法。
【請求項４２】
医薬製剤をエアロゾル化するための方法であって、以下のステップ：
粉末医薬製剤を入れたチャンバーの蓋に穴をあけること、ここで、上記穴あけが上記チャンバーに結合した貫通要素によって行われる；及び
上記医薬製剤をエアロゾル化するために導管を通じて吸入すること
を含む、前記方法。
【請求項４３】
上記蓋に穴をあける上記ステップが、上記蓋の貫通及び上記導管の形成の前に、上記蓋及び上記貫通要素を含む共通の平面から上記貫通要素を移動させることを含む、請求項４２に記載の方法。
【請求項４４】
エアロゾル化装置の作製方法であって、以下のステップ：
表面を提供すること；
上記表面が導管の形態に成形されることができるように、上記表面に１以上の穿孔を形成すること；及び
それにより医薬製剤が上記導管に近接して置かれることができる部材を、上記表面に形成すること
を含む、前記方法。
【請求項４５】
上記部材が、上記表面内に形成されたチャンバーを含む、請求項４４に記載の方法。
【請求項４６】
上記部材が、上記医薬製剤を入れたチャンバーがその中に置かれることのできる陥凹を含む、請求項４４に記載の方法。
【請求項４７】
エアロゾル化装置の作製方法であって、以下のステップ：
表面を提供すること；
上記表面内にチャンバーを形成すること、及び上記チャンバー内に粉末医薬製剤を提供すること；及び
それにより上記粉末医薬製剤がアクセスされることのできる、少なくとも１の貫通要素を、上記表面内に形成すること
を含む、前記方法。
【請求項４８】
上記貫通要素が、上記表面内に１以上の穿孔を提供することによって形成される、請求項４７に記載の方法。
【請求項４９】
上記チャンバーを少なくとも部分的に覆う蓋を通じて上記貫通要素を強制的に通させるために、上記貫通要素が曲げられることのできる、請求項４７に記載の方法。
【請求項５０】
エアロゾル化装置であって、以下の：
粉末医薬製剤を入れることに適したチャンバー；
取り外し可能に上記チャンバーを少なくとも部分的に覆う、蓋；
上記チャンバーから伸びる成形可能な表面であって、導管を形成するための変形を行うことに適した、前記成形可能な表面、
を含み、それによって上記粉末医薬製剤が、上記導管を通じて吸入する使用者によって上記チャンバーから抽出されることのできる、前記装置。
【請求項５１】
上記成形可能な表面が、そこへ使用者によって与えられた力に応じて変形を行うことに適した、請求項５０に記載のエアロゾル化装置。
【請求項５２】
上記成形可能な表面が、上記導管を形成するように上記表面を促進するための手段を含む、請求項５０に記載のエアロゾル化装置。
【請求項５３】
上記促進手段が１以上の穿孔処理を含む、請求項５２に記載のエアロゾル化装置。
【請求項５４】
上記表面が、上記変形の前に実質的に平坦である、請求項５０に記載のエアロゾル化装置。
【請求項５５】
上記蓋が箔を含む、請求項５０に記載のエアロゾル化装置。